(57)【要約】【課題】真贋判定用の部材の設置面積を増やすことができるヒンジ付積層体、冊子、積層体を提供する。【解決手段】本発明のヒンジ付積層体１は、上透明層５０と、上透明層５０よりも下側に配置された透かし紙３０と、透かし紙３０よりも下側に配置され、平面視において、上透明層５０から突出するヒンジ部２１を有するヒンジ層２０とを備えることにより、真贋判定用の部材の設置面積を増やすことが可能な構成となっている。また、ヒンジ付積層体１の透かし紙３０は、上透明層５０及びヒンジ層（２０）の層間に配置された内透かし紙部３０ａと、ヒンジ部２１に設けられ、内透かし紙部３０ａに連続して配置された外透かし紙部３０ｂとを備える。【選択図】図１
2018089872.tif 000002
【特許請求の範囲】
【請求項１】
透明樹脂層と、
前記透明樹脂層よりも下側に配置された透かしシート材と、
前記透かしシート材よりも下側に配置され、平面視において、前記透明樹脂層から突出するヒンジ部を有するヒンジ層と、
を備えるヒンジ付積層体。
【請求項２】
請求項１に記載のヒンジ付積層体において、
前記透かしシート材は、
前記透明樹脂層及び前記ヒンジ層の層間に配置された層間配置部と、
前記ヒンジ部に設けられ、前記層間配置部に連続して配置されたヒンジ部配置部とを備えること、
を特徴とするヒンジ付積層体。
【請求項３】
請求項２に記載のヒンジ付積層体において、
前記透かしシート材は透かしを有し、
前記透かしは、前記層間配置部及び前記ヒンジ部配置部に連続して形成されていること、
を特徴とするヒンジ付積層体。
【請求項４】
請求項２又は請求項３に記載のヒンジ付積層体において、
前記透かしシート材は、レーザマーキングを備え、
前記レーザマーキングは、前記層間配置部及び前記ヒンジ部配置部に連続していること、
を特徴とするヒンジ付積層体。
【請求項５】
請求項１から請求項４のいずれかに記載のヒンジ付積層体において、
前記透かしシート材よりも下側に配置され、電子部品を保持する電子部品保持層を備えること、
を特徴とするヒンジ付積層体。
【請求項６】
冊子に綴じることが可能であり透明樹脂層よりも外側に突出するヒンジ部を有するヒンジ層と、
前記ヒンジ部の上側及び下側の少なくとも１つに配置された透かしシート材と、
を備えるヒンジ付積層体。
【請求項７】
請求項１から請求項６のいずれかに記載のヒンジ付積層体を前記ヒンジ部で綴じた冊子。
【請求項８】
透明樹脂層と、
前記透明樹脂層よりも下側に配置された透かしシート材と、
を備える積層体。
【請求項９】
請求項８に記載の積層体において、
前記透かしシート材は、レーザマーキングを備えること、
を特徴とする積層体。
【請求項１０】
請求項８又は請求項９に記載の積層体において、
前記透かしシート材よりも下側に配置され、電子部品を保持する電子部品保持層を備えること、
を特徴とする積層体。
【発明の詳細な説明】
【技術分野】
【０００１】
本発明は、真贋判定可能なヒンジ付積層体、冊子、積層体に関するものである。
【背景技術】
【０００２】
従来、カード等は、真贋判定用のホログラム等を備えていた（例えば特許文献１）。
しかし、ホログラム等は、設置面積が小さいため、カード等の一部の領域に設けることしかできなかった。
【先行技術文献】
【特許文献】
【０００３】
【特許文献１】特開２０１０−８９３７４号公報
【発明の概要】
【発明が解決しようとする課題】
【０００４】
本発明の課題は、真贋判定用の部材の設置面積を増やすことができるヒンジ付積層体、冊子、積層体を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、透明樹脂層（５０）と、前記透明樹脂層（５０）よりも下側に配置された透かしシート材（３０，３３０，４３０）と、前記透かしシート材（３０，３３０，４３０）よりも下側に配置され、平面視において、前記透明樹脂層（５０）から突出するヒンジ部（２１）を有するヒンジ層（２０）と、を備えるヒンジ付積層体である。
【０００７】
第２の発明は、第１の発明に記載のヒンジ付積層体において、前記透かしシート材（３０，３３０，４３０）は、前記透明樹脂層（５０）及び前記ヒンジ層（２０）の層間に配置された層間配置部（３０ａ）と、前記ヒンジ部（２１）に設けられ、前記層間配置部（３０ａ）に連続して配置されたヒンジ部配置部（３０ｂ）とを備えること、を特徴とするヒンジ付積層体である。
【０００８】
第３の発明は、第２の発明に記載のヒンジ付積層体において、前記透かしシート材（３０，３３０，４３０）は透かし（３１）を有し、前記透かし（３１）は、前記層間配置部（３０ａ）及び前記ヒンジ部配置部（３０ｂ）に連続して形成されていること、を特徴とするヒンジ付積層体である。
【０００９】
第４の発明は、第２の発明又は第３の発明に記載のヒンジ付積層体において、前記透かしシート材（３０，３３０）は、レーザマーキング（３２）を備え、前記レーザマーキング（３２）は、前記層間配置部（３０ａ）及び前記ヒンジ部配置部（３０ｂ）に連続していること、を特徴とするヒンジ付積層体である。
【００１０】
第５の発明は、第１の発明から第４の発明のいずれかに記載のヒンジ付積層体において、前記透かしシート材（３０，３３０，４３０）よりも下側に配置され、電子部品（６１，６２）を保持する電子部品保持層（６０）を備えること、を特徴とするヒンジ付積層体である。
【００１１】
第６の発明は、冊子（１）に綴じることが可能であり透明樹脂層（５０）よりも外側に突出するヒンジ部（２１）を有するヒンジ層（２０）と、前記ヒンジ部（２１）の上側及び下側の少なくとも１つに配置された透かしシート材（３０，２９０，３３０，３９０）と、を備えるヒンジ付積層体である。
【００１２】
第７の発明は、第１の発明から第５の発明のいずれかに記載のヒンジ付積層体を前記ヒンジ部（２１）で綴じた冊子（１）である。
【００１３】
第８の発明は、
透明樹脂層（５０）と、前記透明樹脂層（５０）よりも下側に配置された透かしシート材（５３０）と、を備える積層体である。
【００１４】
第９の発明は、
第８の発明に記載の積層体において、前記透かしシート材（５３０）は、レーザマーキング（３２）を備えること、を特徴とする積層体である。
【００１５】
第１０の発明は、
第８の発明又は第９の発明に記載の積層体において、前記透かしシート材（５３０）よりも下側に配置され、電子部品（６１，６２）を保持する電子部品保持層（６０）を備えること、を特徴とする積層体である。
【発明の効果】
【００１６】
本発明によれば、真贋判定用の部材の設置面積を増やすことができるヒンジ付積層体、冊子、積層体を提供できる。
【図面の簡単な説明】
【００１７】
【図１】第１実施形態のヒンジ付積層体１０の構成を説明する図である。
【図２】第１実施形態のパスポート１を説明する図である。
【図３】第１実施形態のヒンジ付積層体１０の観察態様を説明する図である。
【図４】第１実施形態のヒンジ付積層体１０の観察態様を説明する図である。
【図５】第２実施形態のヒンジ付積層体２１０の断面図である。
【図６】第３実施形態のヒンジ付積層体３１０の断面図である。
【図７】第４実施形態のヒンジ付積層体４１０の断面図である。
【図８】第５実施形態の積層体５１０の断面図である。
【発明を実施するための形態】
【００１８】
（実施形態）
以下、図面等を参照して、本発明の実施形態について説明する。
（第１実施形態）
図１は、第１実施形態のヒンジ付積層体１０の構成を説明する図である。
図１（Ａ）は、ヒンジ付積層体１０を厚さ方向Ｚの上側Ｚ２（上面の法線方向）から見た図である。
図１（Ｂ）は、ヒンジ付積層体１０の断面図（図１（Ａ）のＢ−Ｂ部断面図）であるが、レーザ発色層４０の写真画像４２ｂの発色の態様も図示した。以降の図面についても、同様である。
図２は、第１実施形態のパスポート１を説明する図である。
図２（Ａ）は、ヒンジ付積層体１０が形成するページを開いた状態の斜視図である。
図２（Ｂ）は、ヒンジ付積層体１０が形成するページを開いた状態の断面図（図２（Ａ）のＢ−Ｂ部断面図）である。
実施形態、図面では、ＸＹＺ直交座標系を設けた。この座標系は、図１（Ａ）の状態を基準に、左右方向Ｘ（左側Ｘ１、右側Ｘ２）、縦方向Ｙ、厚さ方向Ｚを表す。ここで、特に、厚さ方向Ｚ（下側Ｚ１、上側Ｚ２）の向きは、本明細書及び特許請求の範囲において共通しており、適宜、上側、下側等の文言も用いて説明する。ただし、この上下の向きは、本発明における層構成における向きを説明するためのものであり、使用状態において常に重力方向の上側、下側ということを示すものではない。したがって、例えば、本明細書において下側と記載されている側を重力方向の下側に限定するものではない。よって、下側と記載されている側を重力方向の上側になるようにして使用してもよいし、水平方向に向けて使用してもよい。
【００１９】
図２に示すように、本実施形態のヒンジ付積層体１０は、ヒンジ部２１に糸５等を通すことにより、他のページ６、表紙７と一緒に綴じられる。これにより、ヒンジ付積層体１０は、パスポート１（冊子）に綴じられる。ヒンジ付積層体１０は、ＩＣチップ６１ｂを内蔵したパスポート１（ＩＣパスポート等ともいう）の身分事項ページに使用されるものである。
なお、ヒンジ付積層体１０の用途は、パスポート１に限定されず、例えば書籍に綴じることにより、書籍の管理等に用いてもよい。
【００２０】
［ヒンジ付積層体１０の構成］
図１に示すように、ヒンジ付積層体１０は、ヒンジ層２０、透かし紙３０（透かしシート材）、レーザ発色層４０、上透明層５０、部品保持層６０（電子部品保持層）、基材７０、下透明層８０が積層されたものである。
ヒンジ層２０の上側Ｚ２には、下側Ｚ１から上側Ｚ２に向けて、透かし紙３０、レーザ発色層４０、上透明層５０が配置されている。ヒンジ層２０の下側Ｚ１には、上側Ｚ２から下側Ｚ１に向けて、部品保持層６０、基材７０、下透明層８０が配置されている。
各層間は、熱溶着等によって、接着している（図３（Ａ）等参照）。このため、透かし紙３０以外の層は、熱溶着性のよい樹脂（例えば、ＰＥＴ−Ｇ、ＰＶＣ、ＰＣ等）のシート材を用いて形成するとよい。部品保持層６０の各層も、同様である。
【００２１】
ヒンジ付積層体１０の色彩、外形は、以下の通りである。
透かし紙３０、基材７０の色彩は、白色である。基材７０は、例えば、白色の材料によって形成してもよく、透明な樹脂シート材に白色の印刷をしたものでもよい。
ヒンジ層２０、レーザ発色層４０、上透明層５０、部品保持層６０、下透明層８０は、透明であり、透光性を有する。
【００２２】
ヒンジ付積層体１０を表面（上面又は下面）から見た形状は、四角形（矩形形状）である。レーザ発色層４０、上透明層５０、部品保持層６０、基材７０、下透明層８０の外形は、等しい。また、ヒンジ層２０、透かし紙３０の外形は、等しい。
ヒンジ層２０及び透かし紙３０の左右方向Ｘの長さは、他のレーザ発色層４０、上透明層５０、部品保持層６０、基材７０、下透明層８０の左右方向Ｘの長さよりも大きい。この長さの大きい部分は、ヒンジ付積層体１０の右側面（パスポート１に綴じられる側の側面）において、右側Ｘ２（外側）に突出する。この突出した部分は、ヒンジ部２１、外透かし紙部３０ｂ（後述する）を構成する。すなわち、平面視において、ヒンジ層２０及び透かし紙３０は、他のレーザ発色層４０、上透明層５０、部品保持層６０、基材７０、下透明層８０から突出するヒンジ部２１及び外透かし紙部３０ｂをそれぞれ有している。先にも述べたが、上透明層５０及びヒンジ層２０は、いずれも矩形形状に構成されている。なお、矩形の角を丸める等の微小な変更は矩形形状に含むものとする。また、このヒンジ部２１は、ヒンジ層２０の一側面においてのみ突出して構成されている。よって、ヒンジ部２１を綴じる（綴じ代として用いる）ことによって上透明層５０の部分を他のページ６、表紙７と形状を平面視の形状を揃えて、一緒に綴じることが可能となる。
なお、このように突出した部分の層間を熱溶着するためには、平らではなく、ヒンジ部２１、外透かし紙部３０ｂの形状に対応した段を有する熱プレス板を用いればよい。
【００２３】
以下、各層について詳細に説明する。
ヒンジ層２０は、ヒンジ部２１を備える。
ヒンジ部２１は、前述したように、ヒンジ層２０のうち、他のレーザ発色層４０、上透明層５０、部品保持層６０、基材７０、下透明層８０よりも大きい部分である。
上記層構成の通り、ヒンジ層２０は、透かし紙３０よりも下側Ｚ１に配置されている。
ヒンジ層２０は、ヒンジとして機能するために、十分な柔軟性を備え、また、破断をしないための十分な引っ張り強度、繰り返し折り曲げられても破断しない十分な耐久性等を備える。ヒンジ層２０は、例えば、複数のＰＥＴ−Ｇの樹脂シートの層間に、ＰＥＴ、ポリアミド等の繊維２２を、格子状に配置したもの等を用いることができる。この繊維２２も、透光性を有する。
【００２４】
上記層構成の通り、透かし紙３０は、ヒンジ層２０の直上に配置されている。また、透かし紙３０は、レーザ発色層４０及び上透明層５０よりも下側Ｚ１に配置されている。
透かし紙３０は、一般的な透かし入り紙である。つまり、透かし紙３０は、紙の厚さを部分的に薄く（又は厚く）することにより、透かして見たときに、透かし３１として模様、図形、文字等のパターンが現れるものである。図１（Ａ）の透かし３１は、３つの円が重なった模様である。
透かし紙３０は、ヒンジ層２０の直上に配置されている。
【００２５】
透かし紙３０は、１枚の紙材であり、また、前述の通りヒンジ層２０及び透かし紙３０の外形は、等しい。このため、透かし紙３０は、レーザ発色層４０及び上透明層５０とヒンジ層２０との層間に配置された内透かし紙部３０ａ（層間配置部）と、ヒンジ部２１上に配置された外透かし紙部３０ｂ（ヒンジ部配置部）とを備える。これらの部分３０ａ，３０ｂは、連続している。外透かし紙部３０ｂは、ヒンジ付積層体１０の外部に露出している。
【００２６】
透かし紙３０は、前述した透かし３１、マーキング３２を備える。
図１の例では、透かし３１は、内透かし紙部３０ａ及び外透かし紙部３０ｂに、これらの境界に交差する態様で連続している。このため、透かし３１のうち内透かし紙部３０ａに配置された部分は、層間に配置され、一方、外透かし紙部３０ｂに配置された部分は、外部に露出する。
【００２７】
ここで、従来から真贋判定に用いられるホログラム等は、平面視において積層体の全面に配置することはできないし、仮に、全面に配置できたとしても高コストである。これに比べて、透かし紙３０は、上側Ｚ２から観察した際にヒンジ付積層体１０の全面に配置しても、ホログラム等に比較すると低コストである。
【００２８】
マーキング３２は、レーザマーキングである。つまり、マーキング３２は、レーザ照射により、透かし紙３０を発熱させて、黒色に発色させることにより形成される。実施形態では、このように発色させることを印字、印刷ともいう。マーキング３２は、例えば、パスポート１の発行時に形成してもよい。
図１の例では、マーキング３２は、パスポート１の所有者固有の情報である旅券番号「ＮＯ．０１２３」に関する。
【００２９】
マーキング３２は、透かし３１と同様に、内透かし紙部３０ａ及び外透かし紙部３０ｂに、これらの境界に交差する態様で連続している。このため、内透かし紙部３０ａに配置された部分は層間に配置され、一方、外透かし紙部３０ｂに配置された部分は、露出する。但し、マーキング３２の配置は、これに限定されず、内透かし紙部３０ａ及び外透かし紙部３０ｂの一方のみに配置してもよい。
【００３０】
レーザ発色層４０は、上記層構成の通り、上側透明層５０及び透かし紙３０の層間に配置される。
レーザ発色層４０は、発色剤を含有している。レーザ発色層４０のうちレーザ光が照射された範囲は、透かし紙３０と同様に、レーザマーキングされることにより、黒色に発色する。
レーザ発色層４０のマーキング４２は、利用者の個別情報である。図１の例では、利用者の写真画像４２ｂ、氏名４２ｃの情報「ＮＡＭＥ：ＢＢＢ  ＣＣＣ」のみ図示しているが、実際には、生年月日等の情報が印刷される。マーキング４２は、例えば、パスポート１の発行時に形成してもよい。
なお、レーザ発色層４０の材料は、レーザ光を照射することにより発色するものであれば、発色剤を含有していなくてもよい。また、発色は、黒色以外でもよい。
【００３１】
上透明層５０は、ヒンジ付積層体１０の最上層を形成する透明樹脂層である。
上透明層５０の下面には、印刷層５１が設けられている。
印刷層５１は、共通情報、つまり、パスポート１の所有者間で共通の情報が印刷されている。共通情報は、例えば、「ＰＡＳＳＰＯＲＴ」、「ｃｏｕｎｔｒｙ：ＡＡＡＡ」という文字情報５１ｂ、地紋（図示せず）等である。印刷層５１は、例えばオフセット印刷等によって形成できる。
印刷層５１は、レーザ発色層４０の情報（写真画像４２ｂ等）が配置される領域を、避けて配置されていてもよい。
【００３２】
部品保持層６０は、電子部品（ＩＣモジュール６１、アンテナ６２等）を保持する層である。
上記層構成の通り、部品保持層６０は、透かし紙３０よりも下側Ｚ１に配置され、また、基材７０よりも上側Ｚ２に配置される。つまり、部品保持層６０は、透かし紙３０及び基材７０の間に配置される。
部品保持層６０は、ＩＣモジュール６１、アンテナ６２、アンテナ埋設層６３、中間層６４、上保護層６５、下保護層６６を備える。
上保護層６５、アンテナ埋設層６３、中間層６４、下保護層６６は、上側Ｚ２から下側Ｚ１に向けて、この順番で配置されている。
【００３３】
ＩＣモジュール６１は、アンテナ埋設層６３及び中間層６４を貫通した穴に収容される。
ＩＣモジュール６１は、実装基板６１ａ、ＩＣチップ６１ｂを備える。
実装基板６１ａは、ＩＣチップ６１ｂを実装するための基板である。
ＩＣチップ６１ｂは、半導体集積回路素子であり、制御部であるＣＰＵ（中央処理装置）、記憶装置（例えばＥＥＰＲＯＭ）を備える。記憶装置には、識別情報等が記憶されている。ＩＣチップ６１ｂは、リーダライタ等の外部機器との間で、非接触で通信するタイプである。
ＩＣチップ６１ｂは、実装基板６１ａの下面に実装され、樹脂等によって封止（パッケージ）されている。
【００３４】
アンテナ６２は、被覆付導線がコイル状（渦巻き状）に巻かれたループアンテナである。被覆付導線は、導線の周囲を、絶縁性を有する被覆によって覆ったものである。
アンテナ６２及びＩＣチップ６１ｂの間は、電気的に接続されている。
ＩＣモジュール６１及びアンテナ６２と、外部機器との間の非接触による通信方法は、電磁誘導方式による近距離無線通信（例えば、ＩＳＯ／ＩＥＣ１４４４３、ＩＳＯ／ＩＥＣ１５６９３、ＩＳＯ／ＩＥＣ１８０９２等による通信方式）である。
【００３５】
アンテナ埋設層６３は、アンテナ６２を保持する層である。例えば、アンテナ６２は、アンテナ埋設層６３の下面に配置された状態で熱プレスされることにより、アンテナ埋設層６３の下面またはアンテナ埋設層６３の下面と中間層６４の上面の間に埋設される。
中間層６４は、ＩＣチップ６１ｂの厚さ分を調整する層である。
上保護層６５は、アンテナ埋設層６３の上側Ｚ２に積層されることにより、ＩＣモジュール６１、アンテナ埋設層６３等を保護するシート材である。
同様に、下保護層６６は、中間層６４の下側Ｚ１に積層されることにより、ＩＣモジュール６１、中間層６４等を保護するシート材である。
【００３６】
基材７０は、このヒンジ付積層体１０の基材７０となる層である。
下透明層８０は、ヒンジ付積層体１０の最下層を形成する。
下透明層８０の上面には、印刷層８１が設けられている。
印刷層８１は、上透明層５０の印刷層５１と同様に、共通情報が印刷されている。下透明層８０の共通情報は、例えば、注意事項に関する情報等（図示せず）である。
【００３７】
［ヒンジ付積層体１０の観察態様］
図３、図４は、第１実施形態のヒンジ付積層体１０の観察態様を説明する図である。
（上側Ｚ２からの通常観察状態：図３（Ａ））
なお、以下の説明において、照明光を照射する側から観察する状態を「通常観察状態」と呼び、照明光を照射する側とは反対側から観察する状態「透かし観察状態」と呼ぶこととする。
通常観察状態、つまり、照明光がヒンジ付積層体１０の上面に照射した状態で、ヒンジ付積層体１０の上面は、上側Ｚ２から以下のように観察される。なお、観察態様の説明では、ヒンジ付積層体１０単体で観察される例を説明するが、パスポート１に綴じられた状態でも、ヒンジ付積層体１０を見開くことにより、同様に観察可能である。
【００３８】
レーザ発色層４０の印刷情報は、上透明層５０を通して、視認可能である（矢印Ｌ１参照）。この場合、印刷層５１は、オフセット印刷等であるため光を通しやすいので、印刷情報の視認性は、ほとんど低下しない。以下の構成も、同様である。
上透明層５０の下面の印刷層５１の印刷情報は、上透明層５０を通して、視認可能である（矢印Ｌ２参照）。なお、印刷層５１よりも下側Ｚ１には、白色の透かし紙３０、基材７０が配置されている。上側Ｚ２から照明光を照射して上側Ｚ２から観察を行う通常観察状態では、下側Ｚ１からの光の光量は、少ないので、透かし紙３０等は、下側Ｚ１からの光を、十分に隠蔽する。このため、印刷層５１が光を透過しやすくても、印刷層５１の色彩表現は、高品質である。
【００３９】
内透かし紙部３０ａのマーキング３２は、レーザ発色層４０、上透明層５０を通して、視認可能である（矢印Ｌ３参照）。
外透かし紙部３０ｂのマーキング３２は、外透かし紙部３０ｂが露出しているので、視認可能である。
図３（Ａ）に示した上側Ｚ２から照明光を照射して上側Ｚ２から観察を行う通常観察状態では、下側Ｚ１から透かし紙３０を通過する光が少ない（矢印Ｌ４ａ，Ｌ５ａ参照）。このため、透かし紙３０の透かし３１は、濃淡を判別できないため、ほとんど識別できない。
部品保持層６０の電気部品は、透かし紙３０によって、目隠しされるので、視認できない。このため、ヒンジ付積層体１０は、通常観察状態での見た目の質感を、向上できる。
下透明層８０の上面の印刷層８１の印刷情報は、基材７０、透かし紙３０等によって、目隠しされるので、視認できない。
ヒンジ部２１が配置されている領域では、透かし３１が視認でき、かつ、透かし紙３０がヒンジ層２０のヒンジ部２１の上面を被覆する。
【００４０】
このように、上側Ｚ２からの通常観察状態では、透かし紙３０及びこれよりも上側Ｚ２の各印刷の印刷情報を明確に視認できるが、透かし３１は、外透かし紙部３０に形成されたものを除き、視認できない。
【００４１】
（上側Ｚ２からの透かし観察状態：図３（Ｂ））
透かし観察状態は、照明光がヒンジ付積層体１０の下面に照射した状態で、ヒンジ付積層体１０の上面を観察する態様である。なお、必要に応じて、強い光源を、ヒンジ付積層体１０の下側に配置してもよい。
透かし観察状態では、ヒンジ付積層体１０の下面（観察側とは反対の面）の方が、上面（観察側の面）よりも、強い光が当たる。このため、下側Ｚ１から基材７０、透かし紙３０を通過する光（矢印Ｌ４ｂ，Ｌ５ｂ参照）は、透かし観察状態の方が通常観察状態よりも、各段に多くなる。
【００４２】
レーザ発色層４０の印刷情報、上透明層５０の印刷情報、透かし紙３０の印刷情報は、上記通常観察状態とほぼ同様に観察される（矢印の図示は省略した）。但し、下面からの光が透けるので、上透明層５０の印刷情報の色彩表現は、透かし観察状態の方が通常観察状態よりも劣る。
透かし紙３０のうち透かし３１の部分は、その他の部分よりも、厚さが薄い。このため、透かし３１を通過する光（矢印Ｌ５ｂ参照）は、その他の部分を通過する光（矢印Ｌ４ｂ参照）よりも、多い。また、前述したように、透かし紙３０を通過する光は、各段に多いので、これら光の光量の違いは、濃淡として判別可能である。
これにより、透かし３１は、その他の部分よりも、明るく観察される。そのため、透かし３１の情報は、明確に判別できる。
部品保持層６０の電気部品は、光を通過しない。このため、光が基材７０、透かし紙３０を通過することにより、電気部品は、暗い部分として視認できる。
【００４３】
このように、上側Ｚ２からの透かし観察状態では、透かし３１が視認できる。
なお、観察者は、透かし観察状態では、主に透かし３１を確認することにより、パスポート１の真贋を判定する。このため、上透明層５０の印刷情報の色彩表現が劣っていたり、電気部品が視認できてしまったりしても、ヒンジ付積層体１０の外観の品質に、大きく影響しない。ヒンジ付積層体１０は、通常観察状態で高品質であればよい。
このように、透かし紙３０は、図３（Ａ）の「上側Ｚ２からの通常観察状態」では、印刷層５１の色彩表現を向上でき、一方、図３（Ｂ）の「上側Ｚ２からの透かし観察状態」では、パスポート１の真贋に利用できる。
【００４４】
（下側Ｚ１からの通常観察状態：図４（Ａ））
照明光がヒンジ付積層体１０の下面に照射した状態では、ヒンジ付積層体１０の下面は、以下のように観察される。
下透明層８０の上面の印刷層８１の印刷情報は、下透明層８０を通して、視認可能である（矢印Ｌ６参照）。なお、印刷層８１よりも上側Ｚ２には白色の基材７０が配置されているので、印刷層８１の色彩表現は、印刷層５１と同様に、高品質である。
透かし３１は、上記「上側Ｚ２からの通常観察状態」と同様に、照明光とは反対側、すなわち上側Ｚ２から通過する光が少ないため、視認できない。
部品保持層６０の電気部品は、基材７０によって目隠しされるので、視認できない。このため、ヒンジ付積層体１０は、通常観察状態での見た目の質感を、向上できる。
同様に、ヒンジ層２０よりも上側Ｚ２の各印刷情報等も、基材７０によって目隠しされるので、視認できない。
【００４５】
（下側Ｚ１からの透かし観察状態：図４（Ｂ））
下透明層８０の印刷情報は、図４（Ａ）の「下側Ｚ１からの通常観察状態」とほぼ同様である。但し、上面からの光が透けるので、下透明層８０の印刷情報の色彩表現は、透かし観察状態の方が通常観察状態よりも劣る。
透かし紙３０の透かし３１は、照明光とは反対側、すなわち上側Ｚ２から通過する光が多いため、図３（Ｂ）の「上側Ｚ２からの透かし観察状態」と同様に、明確に判別できる。
部品保持層６０の電気部品は、図３（Ｂ）の「上側Ｚ２からの透かし観察状態」と同様に、暗い部分として視認できる。
このように、下側Ｚ１からの透かし観察状態では、透かし３１が視認できる。
また、透かし３１は、図３（Ｂ）の「上側Ｚ２からの透かし観察状態」と同様に、外透かし紙部３０ｂ、内透かし紙部３０ａを跨って連続して観察される。
【００４６】
［セキュリティ性］
本実施形態のヒンジ付積層体１０は、セキュリティ性に関して、例えば、以下の作用、効果を奏する。
（１）ヒンジ付積層体１０は、真贋判定用の部材として、透かし紙３０を用いる。このため、ヒンジ付積層体１０は、従来のホログラムのような真贋判定とは異なる態様で真贋判定をすることができる。また、従来とは異なる新しい趣向のものにできる。
（２）透かし紙３０のマーキング３２は、固有情報を、真贋判定用の部材である透かし紙３０自体に設けたものである。このため、既にマーキング３２が加工された透かし紙３０は、転用できない。これにより、ヒンジ付積層体１０は、偽造が困難であるので、セキュリティ性を向上できる。
【００４７】
（３）透かし紙３０及びレーザ発色層４０が接着した状態は、レーザ発色層４０の樹脂の一部が、透かし紙３０の紙の繊維に入り込んだ状態である。透かし紙３０及びヒンジ層２０についても同様である。
このため、ヒンジ付積層体１０を分解した場合には、紙媒体である透かし紙３０は、被着体破壊をしたような形態で破壊する。つまり、透かし紙３０は、その上層であるレーザ発色層４０に接着した部分と、その下層であるヒンジ層２０に接着した部分とに、分離する。
このため、ヒンジ付積層体１０を分解後の透かし紙３０は、転用できない。これにより、ヒンジ付積層体１０は、偽造が困難であるので、セキュリティ性を向上できる。
【００４８】
（４）透かし紙３０の透かし３１及びマーキング３２（以下「透かし３１等」ともいう）は、内透かし紙部３０ａ、外透かし紙部３０ｂ（図１参照）に跨って連続している。
ここで、内透かし紙部３０ａに形成された透かし３１等と、外透かし紙部３０ｂに形成された透かし３１等とを、個別に形成することは、非常に困難である。これにより、ヒンジ付積層体１０は、セキュリティ性を向上できる。また、ヒンジ付積層体１０は、意匠デザインが優れる。
さらに、上記（３）で説明したように、ヒンジ付積層体１０を分解した場合には、透かし紙３０は、破壊する。このため、透かし３１等は、境界で分断されてしまう。これにより、ヒンジ付積層体１０は、セキュリティ性をさらに向上できる。
【００４９】
以上説明したように、本実施形態のパスポート１のヒンジ付積層体１０は、真贋判定に透かし紙３０を用いることができる。また、ヒンジ付積層体１０は、透かし紙３０の設置面積を大きくしても低コストである。
【００５０】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図５は、第２実施形態のヒンジ付積層体２１０の断面図である。
ヒンジ付積層体２１０は、ヒンジ層２０の上側Ｚ２の透かし紙３０に加えて、ヒンジ層２０の下側Ｚ１に透かし紙２９０（透かしシート材）を備える。
透かし紙３０、透かし紙２９０の外形は、同じであり、積層位置のみ異なる。このため、透かし紙２９０は、ヒンジ部２１の下面を目隠しできる。
透かし紙２９０は、ヒンジ層２０及び部品保持層６０間に積層され、これらに熱溶着している。
なお、透かし紙２９０も、透かし紙３０と同様なマーキングを設けてもよい。
【００５１】
図示は、省略するが、透かし紙２９０の透かし２９１のパターンと、透かし紙３０の透かし３１のパターンとは、異なっている。
透かし２９１は、透かし紙３０と同様に、上側Ｚ２からの透かし観察状態（図３（Ｂ）参照）、下側Ｚ１からの透かし観察状態（図４（Ｂ）参照）において、視認可能である。
これらの観察状態では、透かし紙２９０の透かし２９１のパターンと、透かし紙３０の透かし３１のパターンとが、組み合わさったパターンが観察される。
これにより、ヒンジ付積層体２１０は、偽造が困難であるため、偽造抑制効果を向上でき、また、意匠デザインが優れる。
【００５２】
（第３実施形態）
図６は、第３実施形態のヒンジ付積層体３１０の断面図である。
ヒンジ付積層体３１０は、透かし紙３３０，３９０を、ヒンジ層２０のヒンジ部２１の上面及び下面のみに配置した。
つまり、透かし紙３３０は、内透かし紙部を備えず、外透かし紙部のみを備える。同様に、透かし紙３９０は、内透かし紙部を備えず、外透かし紙部のみを備える。このため、透かし紙３３０，３９０は、第２実施形態よりも、外形が小さい。これにより、ヒンジ付積層体３１０は、低コストである。
【００５３】
ヒンジ部２１の上面及び下面は、露出しないので、ヒンジ付積層体３１０は、第２実施形態と同様に、外観の品質を向上できる。
なお、ヒンジ付積層体３１０は、ヒンジ部２１の一方の面のみに、透かし紙を配置してもよい。この場合には、ヒンジ付積層体３１０は、さらに低コストである。
【００５４】
（第４実施形態）
図７は、第４実施形態のヒンジ付積層体４１０の断面図である。
ヒンジ付積層体４１０の透かし紙４３０の外形は、レーザ発色層４０等の外形よりも、一回り小さい。このため、ヒンジ層２０、レーザ発色層４０は、透かし紙４３０よりも外側の範囲で、透かし紙４３０を囲うように溶着する。そのため、透かし紙４３０は、ヒンジ付積層体４１０の内部に完全に収容されるため、外部に露出しない。
これにより、透かし紙４３０は、汚損しないように保護される。
なお、本実施形態のヒンジ付積層体４１０は、第２実施形態と同様に、ヒンジ層２０の下側Ｚ１にも、透かし紙を配置してもよい。
【００５５】
（第５実施形態）
図８は、第５実施形態の積層体５１０の断面図である。
積層体５１０は、ＩＣカードであり、第１実施形態のヒンジ付積層体からヒンジ層を削除したものである。
積層体５１０は、例えば、ＩＤカード、交通機関等が発行するプリペイドカード等として利用できる。
透かし紙５３０の外形は、他の層４０，５０，６０，７０，８０の外形と同じであり、第１実施形態よりも小さい。
透かし紙５３０は、レーザ発色層４０及び部品保持層６０の層間の配置されている。
このため、透かし３１、マーキング３２は、外部に露出しない。
【００５６】
また、透かし紙５３０の端部は、外部に露出するが、透かし紙５３０の上面及び下面は、外部に露出しない。このため、透かし紙５３０は、汚損から保護される。
このように、積層体５１０は、ヒンジ層を備えないことにより、ＩＤカードとして利用できる。
積層体５１０の観察態様は、第１実施形態と同様である。
【００５７】
なお、積層体５１０は、以下のように変形してもよい。
（１）第２実施形態と同様に、２つの透かし紙を設けてもよい。この場合には、もう１つの透かし紙は、例えば、基材７０及び下透明層８０の層間に配置してもよい。
（２）第４実施形態と同様に、透かし紙５３０の外形を、他の層４０，５０，６０，７０，８０よりも小さくすることにより、透かし紙５３０を積層体５１０の内部に完全に収容してもよい。
（３）部品保持層６０を削除してもよい。この場合には、透かし紙を透明な樹脂の内部に積層したセキュリティ媒体として利用できる。この媒体は、例えば、金券、各種チケット等として利用してもよい。また、この場合にも、上記（１）、（２）と同様に変形してもよい。
【００５８】
上記変形は、変形した態様に対応した実施形態の作用、効果を奏する。例えば、上記（１）の場合には、第２実施形態で説明したように、２つの透かしが組み合わさったパターンを観察できるという、作用、効果を奏する。
【００５９】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６０】
（変形形態）
実施形態において、部品保持層は、透明である例を示したが、これに限定されない。部品保持層は、透かし観察状態において、透かし紙の透かしを観察できる程度の光隠蔽性を備えていてもよい。
【符号の説明】
【００６１】
１…パスポート    １０，２１０，３１０，４１０…ヒンジ付積層体    ２０…ヒンジ層    ２１…ヒンジ部    ３０，２９０，３３０，３９０，４３０，５３０…透かし紙    ３０ａ…内透かし紙部    ３０ｂ…外透かし紙部    ３１，２９１，３３１，３９１，４３１，５３１…透かし    ３２…マーキング    ４０…レーザ発色層    ５０…上透明層    ６０…部品保持層    ６１…ＩＣモジュール    ６２…アンテナ    ７０…基材    ８０…下透明層    ５１０…積層体
【図１】
2018089872.tif 000003
【図２】
2018089872.tif 000004
【図３】
2018089872.tif 000005
【図４】
2018089872.tif 000006
【図５】
2018089872.tif 000007
【図６】
2018089872.tif 000008
【図７】
2018089872.tif 000009
【図８】
2018089872.tif 000010